(57)【要約】【課題】  画像読み取り装置において、蓋を開く際の風圧による原稿台上の原稿の浮き上がりを防止する。【解決手段】  蓋５０を閉めた状態で、原稿位置決め部材２５の基準位置３に対して主走査方向（Ｘ方向）及び副走査方向（Ｙ方向）において所定の距離だけ離れた位置４に対向するように、原稿押さえ機構６０として、蓋５０の内面５１に対して略垂直な方向において、その先端が内面５１から突出した第１位置と可撓性シート５３と略同面の第２位置の間で摺動可能にガイドされた押さえピン６１を設ける。蓋５０が閉じた状態から持ち上げられてヒンジ１５の周りに所定角度回転させられる間、押さえピン６１が自重又はばねの付勢力によりその先端６１ａが突出し、原稿台２０の外面２２上の原稿２の背面に当接し、蓋５０を開く際の風圧による原稿２の浮き上がりを防止する。【選択図】図１
2006184701.tif 000002
【特許請求の範囲】
【請求項１】
上面に矩形開口が形成された筐体と、
透光性材料で形成され、前記筐体の開口に嵌装される平板状の原稿台と、
前記筐体の内部において、前記原稿台の内面に対向しつつ第１の方向に移動されるスキャンユニットと、
前記スキャンユニット上に設けられ、前記第１の方向及び前記第１の方向に直交する第２の方向の所定の範囲を照明する照明手段と、
前記スキャンユニット上に設けられ、前記照明手段により照明された所定の範囲の画像を撮像する撮像手段と、
前記筐体の上面に設けられ、前記第１の方向及び前記第２の方向にそれぞれ平行な２辺を有し、その２辺の交点が前記撮像手段による画像読み取り開始の基準位置となる原稿位置決め手段と、
前記筐体の上面にヒンジにより開閉可能に軸支され、少なくとも前記原稿台及び前記原稿位置決め手段を覆う蓋と、
前記蓋の前記原稿台に対向する内面に弾性部材を介して装着され、前記蓋を閉めた状態で前記原稿台の略全域に密着する可撓性シートとを備えた画像読み取り装置において、
前記蓋を閉めた状態で、前記原稿位置決め手段の基準位置に対して前記第１の方向及び第２の方向において所定の距離だけ離れた位置に対向するように前記蓋に設けられた原稿押さえ機構をさらに備え、
前記原稿押さえ機構は、前記蓋の内面に対して略垂直な方向において、その先端が前記内面から突出した第１位置と前記可撓性シートと略同面の第２位置の間で摺動可能にガイドされた押さえピンを有し、
前記蓋が閉じた状態から持ち上げられて前記ヒンジの周りに所定角度回転させられる間、前記押さえピンが自重により又はばねの付勢力により、その先端が前記内面から突出して前記原稿台の外面上に載置された原稿の背面に当接し、前記蓋を開く際の風圧による原稿の浮き上がりを防止することを特徴とする画像読み取り装置。
【請求項２】
原稿台と、前記原稿台上での原稿の位置決めをするための原稿位置決め手段と、少なくとも前記原稿台及び前記原稿位置決め手段を覆うようにヒンジにより回転可能に軸支された蓋を備えた画像読み取り装置において、
前記蓋を閉めた状態で、前記原稿位置決め手段の基準位置に対して第１の方向及び第２の方向において所定の距離だけ離れた位置に対向するように前記蓋に設けられ、前記蓋が閉じた状態から持ち上げられて前記ヒンジの周りに所定角度回転させられる間、前記蓋の内面から突出して前記原稿台の外面上に載置された原稿の背面に当接し、前記蓋を開く際の風圧による原稿の浮き上がりを防止する原稿押さえ機構をさらに備えたことを特徴とする画像読み取り装置。
【請求項３】
前記原稿押さえ機構は、自重又はばねの付勢力により前記蓋の内面から突出するように構成された押さえピンであることを特徴とする請求項２に記載の画像読み取り装置。
【発明の詳細な説明】
【技術分野】
【０００１】
本発明は、パーソナルコンピュータの周辺機器としてのスキャナ、ファクシミリ、複写機及びこれらの複合機能を有するプリンタなどの画像読み取り装置の原稿押さえ機構に関する。
【背景技術】
【０００２】
スキャナなどの原稿台を開く際に、風圧によって原稿台上の原稿が浮き上がり、原稿台上のセットした位置からずれたり、空中に舞い上げられ、床などに落下したりすることがある。その際、落下した原稿が複写機など装置の下側に入り込んだりすると、原稿を取り出すのに手間がかかる。また、床などに落下した際、ごみが付着して原稿が汚れる場合もある。そのため、原稿の浮き上がりを防止するために、従来から様々なスキャナの原稿押さえ機構が提案されている。
【０００３】
特許文献１では、可撓性シートの原稿原稿位置決め部材側端部をパッド（弾性部材）に接着せずにフリーにすると共に、蓋本体の原稿原稿位置決め部材側端部近傍において押さえ部材を回動自在に軸支している。この機構は、本来原稿の読み取り不良の防止を目的としており、蓋を閉じたときに、押さえ部材の自重により可撓性シートのフリー部分が原稿台側に押しつけられ、原稿が原稿台に密着される。この機構は、蓋を開く際の原稿押さえとしても機能し、押さえ部材の自重により、可撓性シートのフリー部分が蓋の持ち上げ動作に遅れて持ち上げられる。その間、可撓性シートを介して原稿が原稿台に押しつけられているので、負圧が発生しても原稿の浮き上がりが防止される。
【０００４】
しかしながら、押さえ部材は、スキャン方向の全長さにわたって設けられ、かつ可撓性シートを介して原稿を原稿台に押しつけるため、重量が必要である。その結果、蓋全体の重量が増加し、操作性が悪くなる。また、構造が複雑で、かつ押さえ部材が大きいため、原稿押さえ機構のコストが高くなる。
【０００５】
特許文献２では、紐状弾性部材を用いて、原稿をこの紐状弾性部材と原稿台の間に挟持し、原稿台上での原稿の位置ずれを防止している。この構成によれば、簡単かつ安価な原稿押さえ機構を提供することができるが、ユーザが手作業で原稿を紐状弾性部材と原稿台の間に挟まなければならず、原稿の交換作業が非常に煩わしい。
【特許文献１】特開２００３−７５９４１号公報
【特許文献２】特開平６−１７５２３９号公報
【発明の開示】
【発明が解決しようとする課題】
【０００６】
本発明は、上記従来の問題を解決するためになされたものであり、簡単かつ安価な構成で、蓋を開く際の風圧による原稿の浮き上がりの防止が可能な原稿押さえ機構を有する画像読み取り装置を提供することを目的とする。
【課題を解決するための手段】
【０００７】
上記目的を達成するために請求項１の発明は、
上面に矩形開口が形成された筐体と、
透光性材料で形成され、前記筐体の開口に嵌装される平板状の原稿台と、
前記筐体の内部において、前記原稿台の内面に対向しつつ第１の方向に移動されるスキャンユニットと、
前記スキャンユニット上に設けられ、前記第１の方向及び前記第１の方向に直交する第２の方向の所定の範囲を照明する照明手段と、
前記スキャンユニット上に設けられ、前記照明手段により照明された所定の範囲の画像を撮像する撮像手段と、
前記筐体の上面に設けられ、前記第１の方向及び前記第２の方向にそれぞれ平行な２辺を有し、その２辺の交点が前記撮像手段による画像読み取り開始の基準位置となる原稿位置決め手段と、
前記筐体の上面にヒンジにより開閉可能に軸支され、少なくとも前記原稿台及び前記原稿位置決め手段を覆う蓋と、
前記蓋の前記原稿台に対向する内面に弾性部材を介して装着され、前記蓋を閉めた状態で前記原稿台の略全域に密着する可撓性シートとを備えた画像読み取り装置において、
前記蓋を閉めた状態で、前記原稿位置決め手段の基準位置に対して前記第１の方向及び第２の方向において所定の距離だけ離れた位置に対向するように前記蓋に設けられた原稿押さえ機構をさらに備え、
前記原稿押さえ機構は、前記蓋の内面に対して略垂直な方向において、その先端が前記内面から突出した第１位置と前記可撓性シートと略同面の第２位置の間で摺動可能にガイドされた押さえピンを有し、
前記蓋が閉じた状態から持ち上げられて前記ヒンジの周りに所定角度回転させられる間、前記押さえピンが自重により又はばねの付勢力により、その先端が前記内面から突出して前記原稿台の外面上に載置された原稿の背面に当接し、前記蓋を開く際の風圧による原稿の浮き上がりを防止することを特徴とする。
【０００８】
請求項２の発明は、原稿台と、前記原稿台上での原稿の位置決めをするための原稿位置決め手段と、少なくとも前記原稿台及び前記原稿位置決め手段を覆うようにヒンジにより回転可能に軸支された蓋を備えた画像読み取り装置において、
前記蓋を閉めた状態で、前記原稿位置決め手段の基準位置に対して第１の方向及び第２の方向において所定の距離だけ離れた位置に対向するように前記蓋に設けられ、前記蓋が閉じた状態から持ち上げられて前記ヒンジの周りに所定角度回転させられる間、前記蓋の内面から突出して前記原稿台の外面上に載置された原稿の背面に当接し、前記蓋を開く際の風圧による原稿の浮き上がりを防止する原稿押さえ機構をさらに備えたことを特徴とする。
【０００９】
請求項３の発明は、請求項２の画像読み取り装置において、前記原稿押さえ機構は、自重又はばねの付勢力により前記蓋の内面から突出するように構成された押さえピンであることを特徴とする。
【発明の効果】
【００１０】
請求項１の発明によれば、原稿押さえ機構として、蓋の内面に対して略垂直な方向に摺動可能にガイドされた押さえピンを用いているので、原稿押さえ機構の構成がきわめて簡単になると共に、その製造コストを非常に安価にすることができる。また、原稿をピンポイントで押さえつけているので、原稿押さえ機構の大きさが非常に小さくなり、蓋の重量増加を抑制することが可能である。さらに、原稿台の外面上に載置された原稿は、その２辺が原稿位置決め手段により第１の方向及び第２の方向にガイドされ、かつ、原稿位置決め手段の基準位置に対して前記第１の方向及び第２の方向において所定の距離だけ離れた位置で押さえピンにより原稿台に押しつけられているため、蓋を開いたときに風圧が発生したとしても、原稿が原稿台から浮き上がることもなく、また、原稿台上での位置もほとんど変化しない。そのため、原稿が床に落下するようなこともなく、原稿の交換作業の際にユーザの手を煩わせることもない。
【００１１】
請求項２の発明によれば、原稿台上に載置された原稿は、原稿位置決め手段によって、ガイドされると共に、その基準位置に対して第１の方向及び第２の方向において所定の距離だけ離れた位置で、原稿押さえ機構により局部的に押さえつけられるので、蓋を開いたときに風圧が発生したとしても、原稿が原稿台から浮き上がることもなく、また、原稿台上での位置もほとんど変化しない。そのため、原稿が床に落下するようなこともなく、原稿の交換作業の際にユーザの手を煩わせることもない。また、原稿押さえ機構は、原稿を実質的にピンポイントで押さえつけているので、原稿押さえ機構の大きさが非常に小さくなり、コスト低減が可能になると共に、蓋の重量増加を抑制することが可能である。
【００１２】
請求項３の発明によれば、原稿押さえ機構は、自重又はばねの付勢力により蓋の内面から突出するように構成された押さえピンであるので、原稿押さえ機構の構成がきわめて簡単になると共に、その製造コストを非常に安価にすることができる。
【発明を実施するための最良の形態】
【００１３】
本発明の一実施形態に係る画像読み取り装置について説明する。図１は、本実施形態に係る画像読み取り装置１の構成を示す蓋を開いた状態の斜視図である。
【００１４】
筐体１０の上面１１には矩形開口１２が形成されており、例えばガラスなどの透光性材料で形成された平板状の原稿台２０が開口１２に嵌装されている。筐体１０の内部１３には、原稿台２０の内面２１に対向しつつ副走査方向（Ｙ方向：第１の方向）に移動されるスキャンユニット３０及びスキャンユニット３０を副走査方向に往復移動させる駆動機構４０が設けられている。駆動機構４０は、図示したようなベルト及びプーリを用いたものであってもよいし、リニアモータやその他の機構を用いたものであってもよい。
【００１５】
スキャンユニット３０は、いわゆるＣＩＳ(Contact Image Sensor)であり、スキャンユニット３０上には、主走査方向（Ｘ方向：第２の方向）に沿って設けられた線状光源（照明手段）３１と、線状光源３１に平行に設けられた撮像装置（撮像手段）３２が設けられている。線状光源３１は、例えば複数のランプを主走査方向に配列したものであり、原稿台２０の主走査方向の全域を略均一な明るさで照明する。一方、副走査方向に関しては、少なくとも撮像装置３２で撮像される範囲を含む所定の範囲を照明する。
【００１６】
撮像装置３２は、微小レンズを主走査方向に配列したレンズアレイと、各レンズに対応して主走査方向に受光素子を配列した受光素子アレイで構成されている。各レンズは、原稿台２０の外面２２に焦点が合わされており、原稿台２０の外面２２に密着するように載置された原稿２のうち、線状光源３１により照明された所定の範囲の像を各受光素子の受光面に結像する。より具体的には、撮像装置３２は、主走査方向については原稿台２０の全幅分、副走査方向については受光素子の幅分（受光素子が複数列に配列されているときは複数列の幅分）の範囲の画像を撮像する。
【００１７】
筐体１０の上面１１には、主走査方向及び副走査方向にそれぞれ平行な２辺２６及び２７を有し、その２辺２６と２７の交点を撮像装置３２による画像読み取り開始の基準位置３とする原稿位置決め部材２５（原稿位置決め手段）が設けられている。さらに、筐体１０の上面１１には、ヒンジ１５により開閉可能に軸支された蓋５０が設けられている。本実施形態では、蓋５０を開いた状態で手前側（ヒンジ１５から遠い側）に画像読み取り開始の基準位置３が設定されている。原稿２は、その２辺を原稿位置決め部材２５の２辺２６及び２７にそれぞれ当接させることにより、主走査方向及び副走査方向に対する位置決めが行われる。
【００１８】
蓋５０は、原稿台２０及び原稿位置決め部材２５を含む筐体１０の上面１１の略全面を覆うように、筐体１０の上面１１と略同じ大きさを有している。蓋５０の原稿台２０に対向する内面５１には、例えば発泡樹脂などの弾性部材５２を介して可撓性シート５３が設けられている。可撓性シート５３は原稿台２０と略同じ大きさを有しており、蓋５０を閉めた状態で原稿台２０の略全域に密着する。さらに、蓋５０には、蓋５０を閉めた状態で、原稿位置決め部材２５の基準位置３に対して主走査方向及び副走査方向において、それぞれ所定の距離だけ離れた位置４に対向するように、原稿押さえ機構６０が設けられている。位置４は、例えば市販されている一般的なサイズのプリンタ用紙のうち比較的小さいポストカードなどが原稿台２０に載置された場合であっても、原稿押さえ機構６０により押さえうる位置が好ましい。しかしながら、必ずしもこれに限定されるものではなく、その他の位置であってもよい。また、プリンタ用紙の各サイズに応じて、複数箇所に原稿押さえ機構６０を設けてもよい。
【００１９】
蓋５０に設けられた原稿押さえ機構６０の詳細を図２及び図３に示す。原稿押さえ機構６０は、蓋５０の内面５１に対して略垂直な方向において摺動可能にガイドされた押さえピン６１と、押さえピン６１をその先端６１ａが内面５１から外側に突出するように付勢するばね６２などで構成されている。また、蓋５０には、押さえピン６１の動きをガイドするためのガイド穴５４が形成されている。蓋５０を開いた状態では、図２に示すように、押さえピン６１はばね６２の付勢力により突出方向に付勢され、鍔６１ｂが蓋５０のガイド穴５４の端面５５に接触し、その先端６１ａが所定の長さだけ内面５１から外側に突出する（第１位置）。一方、蓋５０を閉じた状態では、図３に示すように、押さえピン６１の先端６１ａは原稿台２０の外面２２又はその上に載置された原稿２の背面に接触し、ばね６２の付勢力に逆らって、相対的に蓋５０の内側に入り込む。そのとき、押さえピン６１の先端６１ａは、可撓性シート５３と略同面（第２位置）に位置する。なお、弾性部材５２及び可撓性シート５３には、押さえピン６１が貫通する開口が形成されている。
【００２０】
蓋５０を閉じた状態から徐々に持ち上げてヒンジ１５の周りに回転させていくと、押さえピン６１は、ばね６２の付勢力によって、蓋５０から相対的に外側に押し出され、鍔６１ｂがガイド穴５４の端面５５の当接するまでは、図４に示すように、原稿台２０の外面２２又はその上に載置された原稿２の背面に接触し続ける。その際、原稿台２０の外面２２上に載置された原稿２は、その２辺が原稿位置決め部材２５により主操作方向及び副走査方向にガイドされ、かつ、原稿位置決め部材２５の基準位置３に対して主走査方向及び副走査方向において所定の距離だけ離れた位置で押さえピン６１により原稿台２０に押しつけられている。そのため、蓋５０を開いたときに風圧が発生したとしても、原稿２が原稿台２０から浮き上がることもなく、また、原稿台２０上での位置もほとんど変化しない。そして、原稿２が床に落下するようなこともなく、原稿の交換作業の際にユーザの手を煩わせることもない。
【００２１】
このように、原稿押さえ機構６０として、蓋５０の内面に対して略垂直な方向に摺動可能にガイドされた押さえピン６１を用いているので、原稿押さえ機構６０の構成がきわめて簡単になると共に、その製造コストを非常に安価にすることができる。また、原稿２をピンポイントで押さえつけているので、原稿押さえ機構６０の大きさが非常に小さくなり、蓋５０の重量増加を抑制することが可能である。
【００２２】
なお、本発明は上記実施形態に限定されるものではなく、原稿台２０と、原稿台２０上での原稿２の位置決めをするための原稿位置決め部材（原稿位置決め手段）２５と、少なくとも原稿台２０及び原稿位置決め部材２５を覆うようにヒンジにより回転可能に軸支された蓋５０を備え、原稿押さえ機構６０は、蓋５０を閉めた状態で、原稿位置決め部材２５の基準位置３に対して副走査方向（第１の方向）及び主走査方向（第２の方向）において所定の距離だけ離れた位置４に対向するように蓋５０に設けられており、５０が閉じた状態から持ち上げられてヒンジ１５の周りに蓋を所定角度回転させられる間、蓋５０の内面から突出して原稿台２０の外面上に載置された原稿２の背面に当接し、蓋５０を開く際の風圧による原稿２の浮き上がりを防止するように構成されていればよい。
【００２３】
また、本発明の画像読み取り装置は、様々な変形が可能である。上記実施形態では、ばね６２の付勢力により、押さえピン６１の先端６１ａを蓋５０の内面５１から外側に突出するように構成したが、押さえピン６１の自重により突出するように構成してもよい。また、原稿位置決め部材（原稿位置決め手段）２５の基準位置３を、上記実施形態とは逆にヒンジ１５に近い側に設けてもよい。さらに、上記実施形態では、蓋５０のヒンジ１５を副走査方向に平行に配列しているが、ヒンジ１５を主走査方向に平行に配列してもよい。さらに、スキャンユニット３０はＣＩＳに限定されず、スキャンユニット３０とは離れた位置に設けられたＣＣＤなどの撮像素子上に、ミラー及びレンズを介して原稿の像を結像させる、いわゆるミラースキャンタイプのものであってもよい。
【図面の簡単な説明】
【００２４】
【図１】本発明の一実施形態に係る画像読み取り装置の構成を示す斜視図。
【図２】上記一実施形態における原稿押さえ機構の詳細を示す図であって、蓋を開いた状態における断面図。
【図３】上記一実施形態における原稿押さえ機構の詳細を示す図であって、蓋を閉じた状態における断面図。
【図４】上記一実施形態において、蓋を開く際の原稿押さえ機構の動作を示す側面図。
【符号の説明】
【００２５】
１  画像読み取り装置
２  原稿
３  原稿位置決め部材（原稿位置決め手段）の基準位置
４  基準位置に対して所定の距離だけ離れた位置
１０  筐体
１１  （筐体の）上面
１２  矩形開口
１３  （筐体の）内部
１５  ヒンジ
２０  原稿台
２１  （原稿台の）内面
２２  （原稿台の）外面
２５  原稿位置決め部材（原稿位置決め手段）
２６、２７  原稿位置決め部材（原稿位置決め手段）の２辺
３０  スキャンユニット
３１  線状光源（照明手段）
３２  撮像装置（撮像手段）
５０  蓋
５１  （蓋の）内面
５２  弾性部材
５３  可撓性シート
６０  原稿押さえ機構
６１  押さえピン
６１ａ  （押さえピンの）先端
６２  ばね
【図１】
2006184701.tif 000003
【図２】
2006184701.tif 000004
【図３】
2006184701.tif 000005
【図４】
2006184701.tif 000006